(57)【要約】【課題】装飾板の厚さは従来のままで、表現した絵柄等に、従来の場合よりも奥行きのある立体感を醸出することができる透過性装飾板を提供することを課題とする。【解決手段】装飾デザインとして近景、中間景、遠景に区分けされた３種を含み、透過性板材１の表面には、近景に区分けされた装飾デザイン２が白地印刷された上に重ねて表現され、透過性板材１の裏面には、中間景及び遠景に区分けされた装飾デザイン３、４が表面側から透視できるように表現され、そのうちの中間景に区分けされた装飾デザイン３の上にのみ白地印刷が施されて成る。【選択図】図４
2012030463.tif 000002
【特許請求の範囲】
【請求項１】
透過性板材に遠近感を感取することができるように絵柄その他の装飾デザインが表現された透過性装飾板であって、
前記装飾デザインは近景、中間景、遠景に区分けされた３種を含み、前記透過性板材の表面には、前記近景に区分けされた装飾デザインが白地印刷された上に重ねて表現され、前記透過性板材の裏面には、前記中間景及び遠景に区分けされた装飾デザインが表面側から透視できるように表現され、そのうちの中間景に区分けされた装飾デザインの上にのみ白地印刷が施されて成ることを特徴とする透過性装飾板。
【請求項２】
前記透過性板材の表面に、前記近景に区分けされた装飾デザインの一部が白地印刷していない部分に表現されている、請求項１に記載の透過性装飾板。
【請求項３】
請求項１又は２に記載の透過性装飾板を重合して成る透過性装飾板。
【請求項４】
鏡の蓋として構成される、請求項１乃至３のいずれかに記載の透過性装飾板。
【請求項５】
遠近感のある絵柄その他の装飾デザインを近景、中間景、遠景の３つに区分けする工程と、
透過性板材の表面の、前記近景に区分けされた装飾デザインを表現する部分に白地印刷を施す工程と、
前記白地印刷した部分の上に、前記近景に区分けされた装飾デザインを表現する工程と、
前記透過性板材の裏面に、前記中間景及び遠景に区分けされた装飾デザインを表面側から透視できるように表現する工程と、
前記透過性板材の裏面に表現された前記中間景に区分けされた装飾デザインの上に白地印刷を施す工程と
から成る透過性装飾板の製造方法。
【請求項６】
前記透過性板材の表面に、前記近景に区分けされた装飾デザインの一部を白地印刷していない部分に表現する工程を含む、請求項５に記載の透過性装飾板の製造方法。
【請求項７】
請求項５又は６に記載の製造方法により製造された透過性装飾板を重合する工程を含む透過性装飾板の製造方法。
【発明の詳細な説明】
【技術分野】
【０００１】
本発明は、透過性装飾板に関するものであり、より詳細には、例えば携帯可能なコンパクトミラーの蓋等として利用される装飾板で、透過性を有していて表現された絵柄等が立体視可能な透過性装飾板に関するものである。
【背景技術】
【０００２】
ヒンジ止めされた蓋を備えた、種々の形態の携帯可能なコンパクトミラーが広く用いられている。その種鏡における蓋には、装飾性、趣向性を高めるために、絵柄、図柄、あるいは、写真等（以下単に「絵柄等」とする）の装飾デザインが表現されることがある。また、蓋のみならず、鏡を構成するガラス板自身に絵柄等を付すことにより、装飾性、趣向性を高めようとするものもある。それは、鏡を構成するガラス板自身に直接絵柄等を描き、単にそのガラス板の厚みを利用してその絵柄等の立体感を醸出しようとするものである。
【０００３】
しかし、このような装飾デザインの立体感の醸出方法は、ガラス板自身の厚みに依存するものであって、ガラス板の厚みに制限があるところから、その立体感の醸出には自ずと限界があり、その方法によった場合、見る者に十分な立体感を感取させることはできない。
【０００４】
また、コンパクトミラーの蓋や、各種ケースに透明板を用い、その両面に絵柄等を描き、やはりその厚みを利用してその絵柄等の立体感を醸出しようと企図した製品も存する。しかし、このような装飾デザインの立体感の醸出方法も、やはり透明板の厚さに依存するところとなるので、それによる立体感の醸出にも限界がある。更にこの方法の場合は、絵柄等の背景部分に全面的に白地印刷が施されるために、透視性に欠けたものとなるきらいがある。
【先行技術文献】
【特許文献】
【０００５】
【特許文献１】特開平５−１９３９９２号公報
【特許文献２】特開平８−３０２１７号公報
【特許文献３】特開２０００−４７６１３号公報
【特許文献４】特開２００１−３１４２９５号公報
【発明の概要】
【発明が解決しようとする課題】
【０００６】
上述したように、従来のコンパクトミラーの蓋や、装飾ケースに用いられる透過性装飾板において、表現した絵柄等の装飾デザインに立体感を醸出しようとする場合、その立体感の醸出は装飾材の厚さに依存することになるため、その立体視にも限界があるという問題があった。
【０００７】
本発明は、かかる従来技術における問題点に鑑みてなされたもので、装飾板の厚さは従来のものと変わることなく、表現した絵柄等に従来の場合よりも奥行きのある立体感を醸出することができて、看者に十分な立体感を感取させることができ、その装飾性及び趣向性を向上させてその商品価値を高めることができる透過性装飾板を提供することを課題とする。
【課題を解決するための手段】
【０００８】
上記課題を解決するための請求項１に記載の発明は、透過性板材に遠近感を感取することができるように絵柄その他の装飾デザインが表現された透過性装飾板であって、前記装飾デザインは近景、中間景、遠景に区分けされた３種を含み、前記透過性板材の表面には、前記近景に区分けされた装飾デザインが白地印刷された上に重ねて表現され、前記透過性板材の裏面には、前記中間景及び遠景に区分けされた装飾デザインが表面側から透視できるように表現され、そのうちの中間景に区分けされた装飾デザインの上に重ねて白地印刷が施されて成ることを特徴とする透過性装飾板である。
【０００９】
一実施形態においては、前記透過性板材の表面に、前記近景に区分けされた装飾デザインの一部が白地印刷していない部分に表現される。
【００１０】
また、一実施形態における透過性装飾板は、上記透過性装飾板が重合されて構成される。本透過性装飾板は、鏡の蓋として構成することができる。
【００１１】
上記課題を解決するための請求項５に記載の発明は、遠近感のある絵柄その他の装飾デザインを近景、中間景、遠景の３つに区分けする工程と、透過性板材の表面の、前記近景に区分けされた装飾デザインを表現する部分に白地印刷を施す工程と、前記白地印刷した部分の上に、前記近景に区分けされた装飾デザインを表現する工程と、前記透過性板材の裏面に、前記中間景及び遠景に区分けされた装飾デザインを表面側から透視できるように表現する工程と、前記透過性板材の裏面に表現された前記中間景に区分けされた装飾デザインの上に白地印刷を施す工程とを含んで成る透過性装飾板の製造方法である。
【００１２】
一実施形態においては、前記透過性板材の表面に、前記近景に区分けされた装飾デザインの一部を白地印刷していない部分に表現する工程を含む。また、上記製造方法により製造された透過性装飾板を、重合する工程を含むこともある。
【発明の効果】
【００１３】
本発明は上述したとおりであって、本発明に係る方法によって製造される本発明に係る透過性装飾板は、その表面に、近景に区分けされた絵柄等が白地印刷した上に重ねて表現され、その裏面に、中間景及び遠景に区分けされた絵柄等が表面側から透視できるように表現され、そのうちの中間景に区分けされた絵柄等の上にのみ白地印刷が施されて成るので、表面に白地印刷を介して表現された近景はその位置に見え、裏面に表現されてその上（裏）に白地印刷が施された中間景は、装飾板の厚さ分後方に見え、裏面に表現されてその上（裏）に白地印刷が施されずに素通し状態にされる遠景は、更に後方に見えることになる。
【００１４】
従って、本発明に係る方法によって製造される本発明に係る透過性装飾板の場合は、装飾板自体の厚さは従来のままで、その厚さに依存することなく、表現した装飾デザインに三段階に立体感を付与することができ、以て看者に、従来の場合よりも奥行きのある立体感を感取させることができ、当該透過性装飾板の装飾性及び趣向性を向上させてその商品価値を高めることができる効果があり、鏡の蓋として構成する場合は、鏡に反射する光の作用で、装飾デザインのより豊かな色彩効果を楽しめる効果がある。
【００１５】
請求項３及び請求項７に記載の発明においては、更に奥行きのある立体視効果が得られる効果がある。
【図面の簡単な説明】
【００１６】
【図１】本発明に係る透過性装飾板の製造方法の第二工程を示す表面側斜視図である。
【図２】本発明に係る透過性装飾板の製造方法の第三工程を示す表面側斜視図である。
【図３】本発明に係る透過性装飾板の製造方法の第四工程及び第五工程を示す裏面側斜視図である。
【図４】本発明に係る透過性装飾板の製造方法の第四工程及び第五工程を示す表面側斜視図である。
【発明を実施するための形態】
【００１７】
以下に、本発明を実施するための形態について、添付図面に依拠して説明する。本発明に係る透過性装飾板は、透過性板材に遠近感を感取することができるように絵柄、図柄、写真その他の装飾デザインを表現したものであって、その装飾デザインは近景、中間景、遠景に区分けされた３種を含み、透過性板材の表面には、近景に区分けされた装飾デザインが白地印刷した上に表現され、また、透過性板材の裏面には、中間景及び遠景に区分けされた装飾デザインが表面側から透視できるように表現され、そのうちの中間景に区分けされた装飾デザインの上にのみ白地印刷が施されて成ることを特徴とするものである。
【００１８】
以下に説明する本発明に係る方法における絵柄等の装飾デザインの表現、並びに、白地印刷は、通例、機械印刷によって行われるものであるが、手作業による描写、塗着等によって行われる場合も含む。
【００１９】
図１乃至４は、本発明に係る透過性装飾板を製造するための方法を、基本的に工程順に示すものである。なお、図面では、本透過性装飾板が携帯型ないしスタンド型ミラーの蓋として構成される例が示され、且つ、本透過性装飾板が予めミラー本体９に取り付けられているように示されているが、本透過性装飾板には、ミラー本体９に取り付けられる前に、本発明に係る方法により装飾デザインが印刷される。
【００２０】
本発明に係る方法の第一工程は、遠近感のある絵柄等を近景、中間景、遠景の３つに区分けする工程である。普通、絵柄等の主要部分が近景とされる。図示した例では、主要部分である雪ダルマ２が近景とされ、後方のツリー３が中間景とされ、更に後方の樹木４が遠景とされている。
【００２１】
遠近感ある絵柄等を表現するための透過性板材１は、ガラス板又は透明樹脂板で、適宜装飾枠５で周囲を取り囲む。装飾枠５は、透過性板材１と異なる素材、例えば、不透過性樹脂製、木製又は金属製の枠材を定着するものであってもよいし、近景の表現方法と同様にして透過性板材１の縁辺に表現したものであってもよい。
【００２２】
本発明に係る方法の第二工程は、透過性板材１表面の近景を表現する部分に、当該近景と同一輪郭の白地印刷を施す工程である。図示した例では、大小の雪ダルマ２の輪郭の内側が白地印刷部６となっている（図１参照）。
【００２３】
本発明に係る方法の第三工程は、白地印刷部６の上に、近景に区分けされた絵柄等を表現する工程である。図示した例では、白地印刷部６に重ねて近景である大小の雪ダルマ２が表現されている（図２参照）。他の実施形態においては、透過性板材１の表面側に、白地印刷を施すことなく絵柄等を表現する。この白地印刷を施さない絵柄等は、透けて見えることになる。
【００２４】
本発明に係る方法の第四工程は、透過性板材１の裏面に、中間景及び遠景に区分けされた絵柄等を、表面側から透視可能に表現する工程であり、また、第五工程は、第四工程で透過性板材１の裏面に表現された中間景に区分けされた絵柄であるツリー３の上に重ねて、白地印刷７を施す工程である（図３参照）。
【００２５】
なお、上記第一乃至第五工程は、必ずしもそのような工程順に実施しなければならないというものではなく、例えば、第四工程と第五工程を第二工程に先立って行うことも可能である。
【００２６】
このようにして製造された透過性装飾板を表面側からみると、透過性板材１の表面側に印刷された雪ダルマ２は、下地に白地印刷６が施されていて透けないために、その位置に近景として視認される。また、透過性板材１の裏面側に印刷されたツリー３も、その上（裏）に重ねて白地印刷７が施されていて透けないために、その位置、即ち、透過性板材１の厚さ分後方に位置するように見える。しかし、透過性板材１の裏面側に表現された樹木４は、その裏面に白地印刷が施されていないために透けて見え、最も後方に位置するように見えることになる。
【００２７】
従って、本発明に係る方法によって製造される透過性装飾板は、装飾板自体の厚さは従来のままで、その厚さに依存することなく、表現した絵柄等に、従来の場合よりも奥行きのある立体感を醸出することができ、看者に十分な立体感を感取させることができるものとなる。それにより、本装飾板は装飾性及び趣向性が向上し、その商品価値が高まる。
【００２８】
本発明に係る透過性装飾板は、そのまま携帯型又はスタンド型のコンパクトミラーの蓋として構成することができる。その場合は、本装飾板が鏡面９に重なることにより、上記効果が一層助長されることなる。即ち、本透過性装飾板を正面側から見ると、透過性を残した背景部分（樹木４）、白地印刷を施した背景部分（ツリー３）及び主要部分（雪ダルマ２）の順で手前に近付いてくるような、絵柄等の遠近感や立体感を強調した表現とすることができるのである。
【００２９】
また、上記方法により製造した透過性装飾板を複数枚重合した透過性装飾板とすることもできる。その場合は上記立体視効果が倍増することになり、より奥行きのある装飾デザインとすることができる。
【００３０】
以上述べたような透過性装飾板を、鏡の蓋として構成する場合は、鏡に反射する光の作用で、透過性を残した背景部分の色彩がより鮮やかに浮き上がるため、当該装飾デザインの生き生きとしたより豊かな色彩表現が可能となる。
【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００３２】
１      透過性板材
２      雪ダルマ（近景）
３      ツリー（中間景）
４      樹木（遠景）
５      装飾枠
６      白地印刷部
７      白地印刷部
８      鏡面
９      ミラー本体
【図１】
2012030463.tif 000003
【図２】
2012030463.tif 000004
【図３】
2012030463.tif 000005
【図４】
2012030463.tif 000006